【手続補正書】
【提出日】平成25年2月22日(2013.2.22)
【手続補正１】
【補正対象書類名】特許請求の範囲
【補正対象項目名】全文
【補正方法】変更
【補正の内容】
【特許請求の範囲】
【請求項１】
放射線画像を撮影する放射線撮影システムであって、
前記撮影の対象となる患者の患者情報と、該患者に対して実施する撮影の内容を規定した撮影情報とを含む検査情報を取得する取得手段と、
前記取得手段により取得された検査情報に従って、放射線を用いた患者に対する撮影を制御する撮影制御手段と、
前記撮影された放射線画像と該画像の患者情報とを関連付けて格納する格納手段と、
前記検査情報に従った撮影に用いられる撮影画面と、前記格納手段に格納された放射線画像の再生に用いられる再生画面とを１つのウィンドウ内で切り替えて表示する表示手段と、
オペレータの入力操作に基づいて、前記表示手段に表示される画面の表示の切替指示を検出する指示検出手段と、
前記切替指示に基づく表示の切り替えに際して、前記撮影画面に対応する患者情報と前記再生画面に対応する患者情報とを比較する比較手段と、
前記比較手段の比較結果をオペレータに通知する通知手段と
を具備することを特徴とする放射線撮影システム。
【請求項２】
前記通知手段は、
前記比較手段による比較の結果、前記患者情報が互いに異なっていれば、その旨を通知する
ことを特徴とする請求項１記載の放射線撮影システム。
【請求項３】
前記表示手段は、
前記撮影画面及び前記再生画面に関連付けられたタブを前記ウィンドウ内に表示し、
前記指示検出手段は、
前記オペレータの入力操作により、新たなタブと該タブに関連付けられた新たな撮影画面又は再生画面の生成が指示された場合に、当該指示を前記切替指示として検出し、
前記比較手段は、
前記新たな画面への表示の切り替えに際して、該新たな画面に対応する患者情報と、前記タブに関連付けられた全ての画面に対応する患者情報とを比較し、
前記通知手段は、
前記比較手段による比較の結果、前記新たな画面に対応する患者情報と同一の患者情報を有する画面があれば、その旨を通知する
ことを特徴とする請求項１記載の放射線撮影システム。
【請求項４】
前記表示手段は、
前記撮影画面及び前記再生画面に関連付けられたタブを前記ウィンドウ内に表示し、
前記比較手段は、
前記オペレータの入力操作により指示されたタブに関連付けられた画面への表示の切り替えに際して、該指示された画面に対応する患者情報と、それ以外の画面に対応する患者情報とを比較し、
前記通知手段は、
前記比較手段による比較の結果、前記指示された画面に対応する患者情報と同一の患者情報を有する画面があれば、その旨を通知する
ことを特徴とする請求項１記載の放射線撮影システム。
【請求項５】
前記通知手段は、
前記同一の患者情報を有する画面に関連付けられたタブの表示形態を変化させることにより前記通知を行なう
ことを特徴とする請求項３又は４記載の放射線撮影システム。
【請求項６】
前記通知手段は、
前記患者情報の表示形態を変化させることにより前記通知を行なう
ことを特徴とする請求項１記載の放射線撮影システム。
【請求項７】
前記通知手段は、
アラームを鳴動することにより前記通知を行なう
ことを特徴とする請求項１記載の放射線撮影システム。
【請求項８】
前記通知手段は、
所定時間の間、前記通知を行なう
ことを特徴とする請求項１から７のいずれか１項に記載の放射線撮影システム。
【請求項９】
放射線画像を撮影する放射線撮影システムにおける処理方法であって、
取得手段が、前記撮影の対象となる患者の患者情報と、該患者に対して実施する撮影の内容を規定した撮影情報とを含む検査情報を取得する工程と、
撮影制御手段が、前記取得手段により取得された検査情報に従って、放射線を用いた患者に対する撮影を制御する工程と、
格納手段が、前記撮影された放射線画像と該画像の患者情報とを関連付けて格納する工程と、
表示手段が、前記検査情報に従った撮影に用いられる撮影画面と、前記格納手段に格納された放射線画像の再生に用いられる再生画面とを１つのウィンドウ内で切り替えて表示する工程と、
指示検出手段が、オペレータの入力操作に基づいて、前記表示手段に表示される画面の表示の切替指示を検出する工程と、
比較手段が、前記切替指示に基づく表示の切り替えに際して、前記撮影画面に対応する患者情報と前記再生画面に対応する患者情報とを比較する工程と、
通知手段が、前記比較手段の比較結果をオペレータに通知する工程と
を含むことを特徴とする処理方法。
【請求項１０】
操作部からの操作指示を受け付ける放射線撮影のための制御装置であって、
前記撮影の対象となる患者の患者情報と該患者に対して実施する撮影の内容を規定した撮影情報とを含む検査情報を取得する情報取得手段と、
前記検査情報に基づく放射線撮影を制御する制御手段と、
前記取得手段により取得された検査情報に基づき撮影された放射線画像と該放射線画像の患者情報とを関連付けて記憶部に格納する格納手段と、
前記検査情報が表示され該検査情報に基づく放射線撮影を実行するための撮影画面と、前記記憶部に格納された放射線画像の再生に用いられる再生画面とを表示部に表示させる表示制御手段と、
前記撮影画面または前記再生画面の少なくともいずれか１つの第一の画面が表示された状態で、該第一の画面とは異なる前記撮影画面または前記再生画面の少なくともいずれか１つの第二の画面の表示の指示を検出する検出手段と、
前記第一の画面に対応する患者情報と前記第二の画面に対応する患者情報との比較結果を通知する通知手段と、
を有することを特徴とする制御装置。
【請求項１１】
前記第一の画面に対応する患者情報と前記第二の画面に対応する患者情報とを比較する比較手段と、
を有することを特徴とする請求項１０に記載の制御装置。
【請求項１２】
前記比較手段による比較の結果、前記患者情報が互いに異なっていれば、その旨を通知する
ことを特徴とする請求項１１に記載の制御装置。
【請求項１３】
前記患者情報と同一の患者情報を有する画面に関連付けられたタブの表示形態を変化させること、前記患者情報の表示形態を変化させること、アラームを鳴動することの少なくともいずれかによって前記通知を行う
ことを特徴とする請求項１０乃至１２のいずれか１項に記載の制御装置。
【請求項１４】
操作部からの操作指示を受け付ける放射線撮影装置の処理方法であって、
情報取得手段が、前記撮影の対象となる患者の患者情報と該患者に対して実施する撮影の内容を規定した撮影情報とを含む検査情報を取得する情報取得工程と、
制御手段が、前記検査情報に基づく放射線撮影を制御する制御工程と、
格納手段が、前記取得工程で取得された検査情報に基づき撮影された放射線画像と該放射線画像の患者情報とを関連付けて記憶部に格納する格納工程と、
表示制御手段が、前記検査情報が表示され該検査情報に基づく放射線撮影を実行するための撮影画面と、前記記憶部に格納された放射線画像の再生に用いられる再生画面とを表示部に表示させる表示制御工程と、
検出手段が、前記撮影画面または前記再生画面の少なくともいずれか１つの第一の画面が表示された状態で、該第一の画面とは異なる前記撮影画面または前記再生画面の少なくともいずれか１つの第二の画面の表示の指示を検出する検出工程と、
通知手段が、前記第一の画面に対応する患者情報と前記第二の画面に対応する患者情報との比較結果を通知する通知工程と、
を有することを特徴とする処理方法。
【請求項１５】
請求項９または１４に記載された処理方法の各工程をコンピュータに実行させるためのプログラム。
【手続補正２】
【補正対象書類名】明細書
【補正対象項目名】発明の名称
【補正方法】変更
【補正の内容】
【発明の名称】放射線撮影システム、制御装置および処理方法